(57)【特許請求の範囲】
【請求項１】
移動可能に構成された車体フレームに昇降手段を具備した昇降機構が立設されると共に、該昇降機構によって利用者の乗るボトム機構が支持されてなる形態のストレッチャーにおいて、該昇降機構に掛止されるボトム支持上を転動可能に取着したボトムベースと、該ボトムベース上に背ボトムと腰ボトムと脚ボトムに分割構成してそれぞれ回動可能に組み付けると共に、該ボトムベースと該背ボトムに該背ボトムを水平状態から略垂直状態まで姿勢変更可能な角度調整機構を具備した該ボトム機構において、該背ボトムを略垂直状態まで上方回動し、該ボトム支持の平面視においてＷ字状の第一支持溝と上下方向に一本線状の第二支持溝を該ボトムベースの第一支点ボス部材と第二支点ボス部材が該第一支持溝の頂点と該第二支持溝の頂点を交互に移動しながら転動するようにボトムベースを回動させることで、該背ボトムと該脚ボトムの左右の組み替えを可能にしたことを特徴とするストレッチャーにおけるボトム機構。
【請求項２】
前記背ボトムの上方回動時には自由に上方回動可能で任意の位置で前記角度調整機構のロックを可能にし、該背ボトムの下方回動時には該角度調整機構のレバーを把持し、且つ、一旦該背ボトムを上方回動しないと該角度調整機構のロック解除がされないように構成したことを特徴とする請求項１に記載のストレッチャーにおけるボトム機構。
【発明の詳細な説明】
【技術分野】
【０００１】
本発明は、ストレッチャー等におけるボトム機構に関するものである。
【背景技術】
【０００２】
従来より、施設などで身体の不自由な人や介護が必要な高齢者など（以下、利用者とする。）を、移動させる手段としてストレッチャーが用いられている。ベッドから診察台、ベッドから浴槽など使用環境も様々である。
そして、このストレッチャーには昇降機構を設けたマスト部に利用者を乗せるボトムを片持ちはり状態で昇降可能に保持し、利用者の姿勢保持のためにボトムが臥位（仰臥位、横臥位）から座位に変形するものが提案されている。
それらのほとんどのボトム構成は、背ボトム、腰ボトム、脚ボトムの３分割構成、もしくは腰ボトムと脚ボトムが一体となった背ボトムと腰脚ボトムの２分割構成である。
【０００３】
また、ストレッチャーには入浴用のものがある。
この入浴用ストレッチャーは、介護用の浴槽に浸水させた時に浴槽の傾斜面に沿いながら自動的に背ボトムの背上げが可能なものが多種提案されている。
【０００４】
しかしながら、入浴用ストレッチャーの問題点として、浴槽が設置されている場所によっては、ストレッチャーの背ボトムと浴槽の傾斜面の位置が合わず、そのままでは使用不可能な場合があった。
詳述すると、例えば、図１５のように施設などで浴槽があらかじめ決まった位置（浴室の片隅に配置されている場合等）にある場合においては、いずれか一方の側部ボトムしか背上げできないストレッチャーの場合、背ボトムの位置と浴槽の傾斜面との位置が合わないため、浴槽のレイアウト変更もしくはストレッチャー本体を左右対称仕様として提供する必要があった。
【先行技術文献】
【特許文献】
【０００５】
【特許文献１】特開昭５６−４３９４６号公報
【特許文献２】特許第４７２６０６９号公報
【０００６】
まず、この特許文献１に記載の入浴用患者搬送車は、担架が車体に対して中心部で回動し得るように構成されており、浴槽の両端壁部からも側壁部からも入浴可能としている。
つぎに、この特許文献２に記載の入浴ストレッチャー（連動機構）は、前記マストに組付けた支持フレームの支持パイプに側部ボトムをそれぞれ回動可能に組付ける。さらに、これらの側部ボトムにそれぞれ連動機構を介して中間ボトムを連設し、何れの側部ボトムも上下回動可能かつ隣接する側部ボトムの傾斜方向と異なる傾斜方向に中間ボトムが傾斜するよう構成することで浴槽の設置状況に拘らずストレッチャーを使用することを可能としている。
【０００７】
しかしながら、特許文献１に記載の入浴患者搬送車は、浴槽の両端壁部からも側壁部からも入浴させることができる仕様となっていますが、利用者が座位を取ることしかできないボトム構成となっています。
また、側壁部からの入浴の際、昇降枠が前方斜め下方向に傾斜して飛び出た形状のため、浴槽に浸水する場合には昇降枠との干渉を回避するため、比較的大きな浴槽を用意する必要があることや、ボトムが大きく前方に飛び出した構成となることで、操作性が悪くなることや強度面での不安が懸念されます。
そして、特許文献２に記載の入浴ストレッチャー（連動機構）は、どちらの側部ボトムも、背ボトムと脚ボトムとして使用できる仕様となっていますが、保持手段が利用者の身体に近い位置にあることから角度調整時に利用者の身体を挟む危険があります。
また、ストレッチャーは不特定多数の人で使用する場合がほとんどであることから、どちらの側部ボトムも同じ機能を持たせようとすることで部品形状や部品構成が限定されてしまうため、背ボトム、脚ボトムとして交互に使い分ける時には、利用者の衛生面での不安が考えられます。
【発明の概要】
【発明が解決しようとする課題】
【０００８】
本願発明は、上述した問題点に鑑みて、浴槽等の設置状態を考慮する必要の無い、利用者の背側と脚側を組み替え可能なボトム機構を有するストレッチャーを提供することを課題としている。
【課題を解決するための手段】
【０００９】
本発明のストレッチャー等におけるボトム機構は、移動可能に構成された車体フレームに昇降手段を具備した昇降機構が立設されると共に、該昇降機構によって利用者の乗るボトム機構が支持されてなる形態のストレッチャーにおいて、該昇降機構に掛止されるボトム支持上を転動可能に取着したボトムベースと、該ボトムベース上に背ボトムと腰ボトムと脚ボトムに分割構成してそれぞれ回動可能に組み付けると共に、該ボトムベースと該背ボトムに該背ボトムを水平状態から略垂直状態まで姿勢変更可能な角度調整機構を具備した該ボトム機構において、該背ボトムを略垂直状態まで上方回動し、該ボトム支持の平面視においてＷ字状の第一支持溝と上下方向に一本線状の第二支持溝を該ボトムベースの第一支点ボス部材と第二支点ボス部材が該第一支持溝の頂点と該第二支持溝の頂点を交互に移動しながら転動するようにボトムベースを回動させることで、該背ボトムと該脚ボトムの左右の組み替えを可能にしたことを特徴としている。
そして、前記背ボトムの上方回動時には自由に上方回動可能で任意の位置で前記角度調整機構のロックを可能にし、該背ボトムの下方回動時には該角度調整機構のレバーを把持し、且つ、一旦該背ボトムを上方回動しないと該角度調整機構のロック解除がされないように構成したことを特徴としている。
【発明の効果】
【００１０】
本発明のストレッチャー等におけるボトム機構は、移動可能に構成された車体フレームに昇降手段を具備した昇降機構が立設されると共に、該昇降機構によって利用者の乗るボトム機構が支持されてなる形態のストレッチャーにおいて、該昇降機構に掛止されるボトム支持上を転動可能に取着したボトムベースと、該ボトムベース上に背ボトムと腰ボトムと脚ボトムに分割構成してそれぞれ回動可能に組み付けると共に、該ボトムベースと該背ボトムに角度調整機構を具備した該ボトム機構において、該背ボトムを略垂直状態まで上方回動し、該ボトム支持の第一支持溝と第二支持溝を該ボトムベースの第一支点ボス部材と第二支点ボス部材が転動するようにボトムベースを回動させることで、該背ボトムと該脚ボトムの左右の組み替えを可能にしたことにより、施設等で浴槽等の設置状況に拘らず、ストレッチャーを使用することが可能となる。
また、背ボトム、腰ボトム、脚ボトムを専用設計できることから、角度調整機構をボトムの裏側に配設することが可能となり、利用者が角度調整時に身体を挟みこむ心配が無いため、より安全に使用することが可能となっている。
また、側部ボトムが背側にも脚側にも兼用となるボトム構成を有するストレッチャーに比べて、いずれかを専用のボトムとすることが可能となっているため、利用者の衛生面でメリットがある。
そして、前記背ボトムの上方回動時には自由に上方回動可能で任意の位置で前記角度調整機構のロックを可能にし、該背ボトムの下方回動時には該角度調整機構のレバーを把持し、且つ、一旦該背ボトムを上方回動しないと該角度調整機構のロック解除がされないように構成したことにより、角度調整機構のロック解除する場合は、一度背ボトムを背上げ方向に持ち上げないとロック解除できない仕様になっているので、必ず介助者がレバーを把持する状態となることで、背ボトムの角度が不意に変更されることがないため、安全に使用することができるものとなっている。
【図面の簡単な説明】
【００１１】
【図１】図１はストレッチャーＳを示す斜視図
【図２】図２は車体フレーム２を示す説明図
【図３】図３は車体フレーム２に昇降機構３を立設した状態を示す説明図
【図４】図４はボトム支持４を示す（ａ）斜視図（ｂ）平面図
【図５】図５はボトム支持４にボトムベース５を取り付ける状態を示す斜視分解図
【図６】図６はボトムベース５に背ボトム６、腰ボトム７、脚ボトム８、角度調整機構１３を取付けた状態を示すボトム機構１の斜視図
【図７】図７はボトムベース５に背ボトム６、腰ボトム７、脚ボトム８、角度調整機構１３を取付けた状態を示すボトム機構１の要部平面図
【図８】図８はレバー１３ｈが操作されていない状態を示す角度調整機構１３の要部平面図
【図９】図９はレバー１３ｈが操作された瞬間の状態を示す角度調整機構１３の要部平面図
【図１０】図１０は角度調整機構１３のロック状態を示す要部説明図
【図１１】図１１は背ボトム６が略垂直に背上げされた時の角度調整機構１３の状態を示す要部平面図
【図１２】図１２は背ボトム６が背上げされた状態を示すボトム機構１の正面図
【図１３】図１３は背ボトム６が略垂直に背上げされた状態を示すボトム機構１の正面図
【図１４】図１４は背ボトム６と脚ボトム８の組み替え時のボトム支持４とボトムベース５の関係を示す要部平面図
【図１５】図１５は浴槽Ｂｔの設置状態を示す説明図
【図１６】図１６は浴槽Ｂｔの設置状態と浴槽Ｂｔと組み合わせたストレッチャーＳを示す説明図
【発明を実施するための形態】
【実施例１】
【００１２】
以下、本発明のストレッチャー等におけるボトム機構１について図面を基に説明する。主として前後左右に移動自在となるよう構成した車体フレーム２と、この車体フレーム２に立設される昇降機構３と、昇降機構３に支持されるボトム支持４と、ボトム支持４上を回転するボトムベース５、背ボトム６、腰ボトム７、脚ボトム８からなるボトム機構１とから主に構成されている。
なお、本実施例ではマットＭ、マクラＰ、ベルトＢを具備している（図１参照）。それぞれ、利用者の安全や姿勢保持などのために使用されるものである。なお、本発明の説明をより分かりやすくするために図示を省略している場合がある。
【００１３】
まず、車体フレーム２について説明する。
車体フレーム２は、図２に示すように、一定間隔をおいて略平行に配設された一対のサイドパイプ２ａ，２ａの後部間にツナギパイプ２ｂが固着されている。そして、該サイドパイプ２ａ，２ａの前後端部に床面を走行可能とするための車輪２ｃ，２ｃ，・・・が、車輪取付具２ｄ，２ｄ，・・・を介して取り付けられている。
さらに、前記ツナギパイプ２ｂの中間部には後述する昇降機構３を取り付ける取付ベース２ｅが係止されている。
また、この車体フレーム２には、平面視において略コ字形状に曲折されたフットレバー１２ａを下方回動操作すると、ブレーキリング１２ｂ，１２ｂ，・・・が下方回動されて前記車輪２ｃ，２ｃ，・・・を押圧し、該車輪２ｃ，２ｃ，・・・をロックするブレーキ機構１２が具備されている。
【００１４】
次に、昇降機構３について説明する。
昇降機構３は、図３に示すように、外マスト１０に内マスト１１が挿通されてなり、内部に構成された昇降手段（図示省略）によって、内マスト１１に対して外マスト１０が昇降可能とされたものである。
なお、昇降手段として、アクチュエーターを用い、該アクチュエーターの伸縮により、内マスト１１に対して外マスト１０が昇降されるようにしても、螺子軸とナット部材を用い、螺子軸に沿ってナット部材を移動させることで、内マスト１１に対して外マスト１０が昇降するように構成しても良い。
すなわち、昇降手段は、内マスト１１に対して外マスト１０が昇降可能に構成されたものであれば良く、本実施例に限定するものではない。
そして、昇降機構３は、内マスト１１の下端に固着されたマスト取付１１ａを前記車体フレーム２の前記取付ベース２ｅに螺子にて螺着することで、車体フレーム２に立設される。
また、該外マスト１０の左右両側には持ち手ハンドル１０ａが付設されている。
【００１５】
次に、ボトム支持４について説明する。
ボトム支持４は、図４に示すように、平面視において矩形状の支持パイプ４ａの上端部に一定間隔をおいて支持プレート４ｂ，４ｂを固着している。
そして、下端には平面視において逆Ｖ字形状になるように配設されたワイドパイプ４ｃ，４ｃを固着し、該ワイドパイプ４ｃ，４ｃの前方には平面視において逆三角形状に形成された支持ベース４ｄを固着している。
そして、平面視において該支持ベース４ｄの両端に穿設した孔４３ｄ，４３ｄの裏側に締結部材４ｅ，４ｅを固着している。なお、本実施例では該締結部材４ｅ，４ｅにはナットを使用している。
そして、前記昇降機構３の外マスト１０の上端前方に固着した、正面視において上側を開放した略コ字形状に形成されたボトム支持トリツケ１０ｂの内側に配設したボトム支持トリツケピン１０ｃに前記支持プレート４ｂ，４ｂの溝４１ｂ，４１ｂを係合し、該ボトム支持トリツケ１０ｂの孔１０ｄ,１０ｄと該支持プレート４ｂ，４ｂの孔４２ｂ，４２ｂを締結部材（図示省略）で取着することで、昇降機構３にボトム支持４を取り付けている。
【００１６】
次に、ボトムベース５について説明する。
ボトムベース５は、図５に示すように、側面視において上側開放に略コ字状に形成されたベースプレート５ａに、平面視において該ベースプレート５ａの両側にベースサイドパイプ５ｂ，５ｂを、円筒形状の背トリツケボス５ｃ，５ｃをそれぞれ配設して固着している。
そして、平面視において該ベースサイドパイプ５ｂ，５ｂの左端に、正面視において略Ｌ字状に形成したベースサイドエンド５ｄを、外側には腰ボトムトリツケ５ｅ，５ｅを、内側には正面視において上側開放した略コ字状のボトムベースコテイプレート５ｆをそれぞれ固着している。
そして、該ベースプレート５ａに穿設した孔５１ａ，５２ａにはそれぞれ第一支点ボス部材５ｇと第二支点ボス部材５ｈを固着している。
そして、前記ボトム支持４の前記支持ベース４ｄに、平面視において略Ｗ状に穿設した第一支持溝４１ｄと、平面視において該第一支持溝４１ｄの下側に上下方向に１本線状に穿設した第二支持溝４２ｄに対して、該第一支持溝４１ｄには該ボトムベース５の該第一支点ボス部材５ｇを、該第二支持溝４２ｄには該ボトムベース５の該第二支点ボス部材５ｈをそれぞれ挿通し、締結部材５ｉ，５ｉと締結部材５ｊ，５ｊで取り付けている。
なお、本実施例では該締結部材５ｉ，５ｉには螺子を、該締結部材５ｊ，５ｊにはナットを使用している。
また、前記ボトム支持４と前記ボトムベース５の間にスラシ５ｋ，５ｋ，・・・を介して、締結部材５ｉ，５ｉ及び締結部材５ｊ，５ｊで取り付けている。
これは、後述する背ボトム６と脚ボトム８の組み替え時にスムーズに動作するように面当たりを良くするためである。
そして、前記ベースプレート５ａに穿設した孔５３ａと前記ボトムベースコテイプレート５ｆに穿設した孔５１ｆを、前記支持ベース４ｄの孔４３ｄ，４３ｄを介して前記締結部材４ｅ，４ｅに、締結部材５ｌ，５ｌを螺着して、ボトム支持４とボトムベース５が動かないように固定している。
なお、本実施例では該締結部材５ｌ，５ｌには螺子を使用している。
【００１７】
次に、背ボトム６について説明する。
背ボトム６は、図６及び図７、図１２、図１３で示すように、平面視において、左側を開放した略コ字状に形成された背ボトムワク６ａに、一定間隔をおいて略平行に配設された一対の背ボトムパイプ６ｂ，６ｂを配設し、該背ボトムパイプ６ｂ，６ｂの間に背ホキョウパイプ６ｃ及び該背ボトムワク６ａと該背ボトムパイプ６ｂ，６ｂと接するように平面視において略台形状の背ボトムプレート６ｄを固着している。
そして、該背ボトムワク６ａと該背ボトムパイプ６ｂ，６ｂの間にテスリトリツケ６ｅ，６ｅとテスリロック６ｆ，６ｆを介設して固着している。
そして、該テスリトリツケ６ｅ，６ｅと該テスリロック６ｆ，６ｆには該テスリトリツケ６ｅ，６ｅに穿設された孔６１ｅ，６１ｅを回転の中心としてサイドレール９，９が軸部材６ｈ，６ｈによって回転可能に取り付けられる。
そして、該背ボトムパイプ６ｂ，６ｂに穿設した孔６１ｂ，６１ｂと前記ボトムベース５の前記背トリツケボス５ｃ，５ｃを軸部材６ｇで回動可能に軸着している。
【００１８】
次に、腰ボトム７について説明する。
腰ボトム７は、図６及び図７、図１２、図１３で示すように、平面視において、右側を開放した略コ字状に形成された腰ボトムワク７ａの開放した端部に、平面視において略ヘ字状の溝７１ｂを穿設した腰カムプレート７ｂ，７ｂを固着し、該腰ボトムワク７ａと該腰カムプレート７ｂ，７ｂと接するように、平面視において一定間隔をおいて略平行に配設された一対の腰ボトムパイプ７ｃ，７ｃを配設し、該腰ボトムパイプ７ｃ，７ｃの間に腰ホキョウバー７ｄを固着している。
そして、該腰ボトムワク７ａの開放部の反対側に側面視において腰ボトムツナギ７ｅ，７ｅを固着し、該腰ボトムワク７ａと該腰ボトムパイプ７ｃ，７ｃとを繋ぐように側面視において下側を開放した略コ字状に形成されるサイドレール取付７ｆ，７ｆを固着している。
なお、詳細は省略するが、該サイドレール取付７ｆ，７ｆには回動可能にサイドレール９，９を取り付けられる。
そして、該腰ボトムパイプ７ｃ，７ｃの内側に腰ボトム支点プレート７ｇ，７ｇを固着している。
そして、該腰ボトム支点プレート７ｇ，７ｇの孔７１ｇ，７１ｇと、前記ボトムベース５の前記腰ボトムトリツケ５ｅ，５ｅの孔５１ｅ，５１ｅに軸部材７ｈを挿通することで、該腰ボトム７が該ボトムベース５に対して回動可能に軸着される。
そして、該腰カムプレート７ｂ，７ｂの該溝７１ｂ，７１ｂに、前記背ボトム６の前記背ボトムパイプ６ｂ，６ｂの一端に固着される背ボトムシテンボス６ｈ，６ｈと同軸心に構成したシテンカラー６ｉ，６ｉを挿通している。
そして、それらの部品を軸部材７ｉで軸着することで、背ボトム６と腰ボトム７を連動可能としている。
【００１９】
次に、脚ボトム８について説明する。
脚ボトム８は、図６及び図７、図１２、図１３で示すように、平面視において、右側を開放した略コ字状に形成された脚ボトムワク８ａの内側に、平面視において略Ｈ字状に構成された脚ボトムパイプ８ｂ，８ｂと脚ボトムツナギ８ｃを配設し固着している。
そして、該脚ボトムワク８ａと脚ボトムツナギ８ｃと接する側面視において略Ｓ字状フットガイドレール８ｄ，８ｄを配設して固着している。
そして、該フットガイドレール８ｄ，８ｄと該脚ボトムツナギ８ｃを挟んで反対側に、正面視において略Ｌ字状のトリツケプレート８ｅ，８ｅ及び該トリツケプレート８ｅ，８ｅにピンコテイボス８ｆを固着している。
そして、該脚ボトムワク８ａの両端部にシテンボス８ｇ，８ｇを固着し、該シテンボス８ｇ，８ｇと前記腰ボトム７の前記腰ボトムツナギ７ｅ，７ｅの孔７１ｅ，７１ｅに軸部材８ｈを軸着することで、腰ボトム７に対して脚ボトム８を回動可能にしている。
そして、該トリツケプレート８ｅ，８ｅの内側にローラー８ｉ，８ｉを軸着し、前記ボトムベース５の前記ベースサイドパイプ５ｂ，５ｂの上面を該ローラー８ｉ，８ｉが転動可能にしている。
そして、該トリツケプレート８ｅの孔８１ｅ，８１ｅと該ピンコテイボス８ｆに軸部材８ｊを挿通して、前記ベースサイドエンド５ｄに該軸部材８ｈを掛止している。
【００２０】
なお、脚ボトム８には脚受１４が付設されている。
脚受１４は、図６で示すように、詳細は省略するが、前記脚ボトム８の前記フットガイドレール８ｄ，８ｄ上を平面視において左右方向に摺動するように前記脚ボトム８に取付されている。
そして、該脚ボトム８の該フットガイドレール８ｄに設けられた複数の溝部８１ｄ，８１ｄ，・・・によって、該脚受１４を段階的に保持できるようになっている。
このように構成することで、後述する姿勢変更時に、利用者の身長や体型に合わせて、脚受１４を微調整することが可能となり、安定した姿勢保持を可能にしている。
【００２１】
次に、角度調整機構１３について説明する。
角度調整機構１３は、まず、図６及び図７で示すように、前記ボトムベース５の前記ベースプレート５ａの一端部に一定間隔をおいて略平行に配設されたシリンダトリツケシタ５ｍ，５ｍの内側にはシリンダナカ１３ａを、外側にはシテンローラー１３ｂ，１３ｂをそれぞれ配設し、それぞれをシテンピン１３ｃで回動可能に軸着している。
そして、該シリンダナカ１３ａを覆うようにシリンダソト１３ｄに該シリンダナカ１３ａを挿通した状態で、前記背ボトム６の前記背ボトムプレート６ｄに一定間隔をおいて略平行に配設されたシリンダトリツケウエ６ｊ，６ｊの内側に配設し、該シリンダトリツケウエ６ｊ，６ｊの両外側には背シテンローラー１３ｅ，１３ｅを配設し、それぞれを背シテンピン１３ｆで回動可能に軸着している。
そして、図８に示すように、側面視において略コ字状に形成されるレバートリツケ１３ｇの開放した端部を該シリンダソト１３ｄの外周と接するように固着している。
そして、該レバートリツケ１３ｇの内側にレバー１３ｈ及びロックプレート１３ｉを、該レバー１３ｈの円弧状溝１３１ｈと該ロックプレート１３ｉの円弧状溝１３１ｉが該レバートリツケ１３ｇの孔挿通するレバーシテン１３ｊの外周に接するように配設している。
そして、該レバー１３ｈの溝１３２ｈと該ロックプレート１３ｉの溝１３２ｉの間には第一弾性体１３ｋを、該レバー１３ｈの溝１３３ｈと該レバートリツケ１３ｇの端面１３１ｇの間には第二弾性体１３ｌをそれぞれ配設している。なお、本実施例で使用する該第一弾性体１３ｋ及び第二弾性体１３ｌは圧縮スプリングを使用している。
そして、該ロックプレート１３ｉの係合凸部１３３ｉが該シリンダソト１３ｄに穿設した孔１３１ｄを通行して、該シリンダナカ１３ａの設けられた複数の溝１３１ａ，１３１ａ，・・・に係合するように配置している。
なお、本実施例では溝１３１ａを３ヶ所設けているが、溝の数は３ヶ所に限定するものではなく、必要とする数を設けたので良い。
そして、該シリンダソト１３ｄの孔を介して該シリンダナカ１３ａの長孔１３２ａにピン部１３１ｍを挿通して、ストッパー部材１３ｍを取り付けている。
【００２２】
次に、背ボトム６の姿勢変更と角度調整機構１３の関係について説明する。
まず、背上げについて説明する。
介助者が操作する場合、図１２に示すように、該背ボトム６を正面視において、反時計周りに上方回動する。
この時、図１０に示すように、前記角度調整機構１３の前記係合凸部１３３ｉが前記シリンダナカ１３ａの前記溝１３１ａのテーパ部１３１１ａを摺動しようとする。
すると、前記レバーシテン１３ｊを回動中心として、前記ロックプレート１３ｉの面１３４ｉが前記レバー１３ｈの面１３４ｈを押圧する。
すると、前記第二弾性体１３ｌの力に抗うように、前記レバーシテン１３ｊを回動中心として、該レバー１３ｈ及び該ロックプレート１３ｉが平面視において時計回りに回動する。
そして、任意の位置に設けられた該溝１３１ａに該係合凸部１３３ｉが位置すると、該第二弾性体１３ｌの反発力により該レバー１３ｈの該面１３４ｈが該ロックプレート１３ｉの該面１３４ｉを押圧することで、該係合凸部１３３ｉが該溝１３１ａに係合してロックがかかるようになっている。
つまり、該背ボトム６の背上げについては、背ボトム６を上方回動することのみで背上げが可能となっている。
また、浴槽にボトム機構１を浸水させる場合も同様であり、前記外マスト１０を下降操作した時に、前記背ボトム６の前記シテンローラー１３ｂ，１３ｂ及び前記背シテンローラー１３ｅ，１３eが浴槽の傾斜面と接地することで、背ボトム６が上方に押圧される。
これは、前述したように、介助者が背ボトム６を上方回動する動作と同じ力の働きとなっている。
【００２３】
次に、背下げについて説明する。
まず、介助者が前記レバー１３ｈを把持することで、前記レバーシテン１３ｊを回動中心として、平面視において前記第二弾性体１３ｌの力に抗うように該レバー１３ｈが時計周りに回動する。
この時、図９で示すように前記ロックプレート１３ｉは前記レバー１３ｈの付勢力を前記第一弾性体１３ｋが受けて時計周回りに回動しようとするが、前記係合凸部１３３ｉが前記シリンダナカ１３ａの前記溝１３１ａの面１３１２ａと干渉することで回動が規制される。
この状態で、図１２に示すように、前記背ボトム６を一旦上方回動すると、該係合凸部１３３ｉが該溝１３１ａのテーパ面１３１１ａより押圧され、該係合凸部１３３ｉと該溝１３１ａの係合が外れ、背ボトム６を下方回動することができる
このように構成された角度調整機構１３は、背上げ時は前記レバー１３ｈを把持することなく背上げ可能で、背下げ時は該レバー１３ｈを把持し、且つ、背ボトム６を一旦背上げ方向に上方回動し、該係合凸部１３３ｉと溝１３１aの係合を解除しないと背下げ不可能な構成となっている。
つまり、利用者を乗せた状態で浴槽等に浸水させる時は外マスト１０の下降操作のみで背ボトム６を背上げすることが可能となる。
また、背ボトム６を水平方向に戻す時には、レバー１３ｈを把持しながら一旦背ボトム６を上方回動しないとロック解除がされず、背ボトム６を下方回動することができないため、必ず介助者が操作しないと背ボトム６を水平方向に戻すことができないものとなっており、安全に使用できるものとなっている。
【００２４】
次に、ボトム機構１の背ボトム６、腰ボトム７、脚ボトム８の連動による、水平状態から背上げ状態への姿勢変更を説明する。
まず、図１２で示すように、背ボトム６を持ち上げるか、もしくは、前述したように外マスト１０を下降させて背ボトム６を浴槽の傾斜面に接地させる。
そうすると、背ボトム６が該背ボトム６の前記軸部材６ｇを回動中心として上方回動する。
この時、該背ボトム６の前記シテンカラー６ｉ，６ｉが前記腰カムプレート７ｂ，７ｂの前記溝７１ｂ，７１ｂ間を転動する。
そうすると、正面視において該溝７１ｂ，７１ｂの略へ字状の溝の左端に位置していた該シテンローラー６ｉ，６ｉが右端に転動する。
そうすると、該溝７１ｂ，７１ｂが該シテンカラー６ｉ，６ｉに押圧され、腰ボトム７の前記軸部材７ｇを回転中心として腰ボトム７が正面視において右回りに回動することで、正面視において腰ボトムが右下がりになる。
そして、脚ボトム８の腰ボトム７に軸着した前記軸部材８ｈが支点となり、脚ボトム８を正面視において右に引く方向に作用する。
そうすると、前記ローラー８ｉ，８ｉがボトムベース５の前記ベースサイドパイプ５ｂ，５ｂの上面を右方向に転動し、脚ボトム８が正面視において右上がりとなる。
つまり、背上げをすることで正面視において腰ボトムが左上がり、脚ボトムが右上がりになることによって、背上げ動作とあわせて利用者の膝が持ち上がるように構成される。
このように構成されたボトム機構１は、背上げ動作することによって利用者の身体が前滑りになることを防止する効果がある。
【００２５】
次に、ボトム機構１の背ボトム６と脚ボトム８の組み替えを説明する。
本実施例では、図１で示すように、正面視において右側に背ボトム６、左側に脚ボトム８が配置された状態から、右側に脚ボトム８、左側に背ボトム６に組み替える手順で説明する。
まず、前記ストッパー部材１３ｍを外すことで、背ボトム６を背上げ時に前記ストッパー部材１３ｍのピン部１３１ｍが前記シリンダナカ１３ａの長孔１３２ａによる角度規制が無くなる。
その状態で背上げを行い、前記ロックプレート１３ｉの係合凸部１３３ｉが前記シリンダナカ１３ａの上面１３３ａと係合するまで背上げを行う。
そうすると、図１３で示すように背ボトム６が略垂直に背上げされる。
この時、図１１で示すように、角度調整機構１３のロックプレート１３ｈの係合凸部１３１ｉはシリンダナカ１３ａの上面１３３ａと係合して保持される。
そして、脚ボトム８の前記軸部材８ｊを外すことで、図１３の点線部に示すように、正面視において脚ボトムを時計周りに回動することができる。
そして、図５に示すように、前記ボトムベース５の螺子５ｌ，５ｌを外すことで、ボトム支持４とボトムベース５の固定が解除される。
そして、平面視において反時計周りにボトム機構１を回転させる。
そうすると、図１４に示すように、前記ボトムベース５の前記第一支持溝４１ｄを前記第一支点ボス部材５ｇ、前記第二支持溝４２ｄを前記第二支点ボス部材５ｈが転動することによってボトムベース５が１８０度回転して該ボトムベース５上に配設される背ボトム６と脚ボトム８が組み替えされる。
そして、背ボトム６と脚ボトム８の組み替えが終われば、脚ボトム８を反時計周りに回動させ元の位置に戻し、該螺子５ｌ，５ｌを螺着してボトム支持４とボトムベース５を固定する。
そして、前記脚ボトム８の前記軸部材８ｊを取り付けることで前記ベースサイドエンド５ｄに掛止している。
上記操作を行うことで、背ボトム６と脚ボトム８の組み替えが完了する。
なお、背ボトム６を略垂直に背上げすることによって、組み替え時に昇降機構３と背ボトム６の干渉を避けることが可能となる。また、このように構成することでボトム支持４を極力小さく構成することが可能となる。
【００２６】
次に、背ボトム６と脚ボトム８の組み替え時のボトム支持４とボトムベース５の関係を詳述する。
まず、ボトム機構１を平面視において、反時計周りに付勢する。
この時、前記第二支点ボス部材５ｈが反時計周りに回動しようとするが、前記第一支点ボス部材５ｇの回動方向が、該第一支持溝４１ｄによって規制されるため、平面視において該第二支点ボス部材５ｈは下方向に転動する。すると、該第一支点ボス部材５ｇと該第二支点ボス部材５ｈの距離が一定であるため、該第二支点ボス部材５ｈの転動に合わせて、該第一支持溝４１ｄの辺４１１ｄを該第一支点ボス部材５ｇが転動し、ボトムベース５が平面視において右上がりの状態になる。（図１４（ｂ）参照）
そして、さらにボトム機構１を付勢すると、該第二支点ボス部材５ｈが回動中心となり、該第一支点ボス部材５ｇが該第一支持溝４１ｄの辺４１２ｄを転動してボトムベース５が平面視において略垂直状態から右下がりの状態になる。（図１２（ｃ）及び（ｄ）参照）
そして、さらにボトム機構１を付勢すると、該第一支点ボス部材５ｇの回動方向が、該第一支持溝４１ｄによって規制されるため、平面視において該第二支点ボス部材５ｈは上方向に転動する。すると、該第二支点ボス部材５ｈの転動に合わせて、該第一支持溝４１ｄの辺４１３ｄを該第一支点ボス部材５ｇが転動し、ボトムベース５が元の位置より１８０度変更した状態となる。（図１４（ａ）及び（ｅ）参照）
なお、図示は省略するが、正面視において左側に背ボトム６、右側に脚ボトム８が配置された状態から、左側に脚ボトム８、右側に背ボトム６に組み替える手順は、上記手順の逆を行えば良い。
つまり、第一支点ボス部材５ｇと第二支点ボス部材５ｈの距離が一定であることから、該第一支持溝４１ｄの略Ｗ字状のそれぞれ頂点で第一支点ボス部材５ｇと第二支点ボス部材５ｈが交互に回動中心を入れ替わることでボトムベース５がボトム支持４上を１８０度回転可能であり、該ボトムベース５に取り付けられる背ボトム６と脚ボトム８の入れ替えを可能としている。
【００２７】
上述したように、本実施例のボトム機構１は、背ボトムと腰ボトムと脚ボトムの姿勢変更及び背ボトムと脚ボトムの組み替えが簡単に行え、図１６に示すように、浴槽等の設置状況に拘らずストレッチャーＳを使用することが可能となる。
これは、ストレッチャーＳを導入する施設等にとって浴槽の設置状況を考慮する必要が無くなることで浴槽設備のレイアウト変更など、煩わしい作業が不要となるメリットがある。
また、背ボトム６、腰ボトム７、脚ボトム８を専用設計できることから、角度調整機構１３をボトムの裏側に配設することが可能となり、利用者が角度調整時に身体を挟みこむ心配が無いため、より安全に使用することが可能となっている。
そして、角度調整機構１３のロック解除する場合は、一度背ボトム６を背上げ方向に持ち上げないとロック解除できない仕様になっているので、必ず介助者がレバー６を把持する状態となることで、背ボトム６の角度が不意に変更されることがないため、安全に使用することができるものとなってる。
また、側部ボトムが背側にも脚側にも兼用となるボトム構成を有するストレッチャーに比べて、いずれも専用のボトムとすることが可能となっているため、利用者の衛生面でもメリットがある。
【００２８】
なお、本実施例では浴槽への入浴を例に説明したが、それ以外の例として配置が決まっているベッドや診察台等への移動にも本実施例のボトム機構１を用いたストレッチャーＳが使用可能である。
【符号の説明】
【００２９】
１    ボトム機構
２    車体フレーム
３    昇降機構
４    ボトム支持
５    ボトムベース
６    背ボトム
７    腰ボトム
８    脚ボトム
９    サイドレール
１０    外マスト
１１    内マスト
１２    ブレーキ機構
１３    角度調整機構
１４    脚受
Ｓ    ストレッチャー
Ｍ    マット
Ｐ    マクラ
Ｂ    ベルト
Ｂｔ    浴槽
Ｗ    壁
【図１】
0006552037.tif 000002
【図２】
0006552037.tif 000003
【図３】
0006552037.tif 000004
【図４】
0006552037.tif 000005
【図５】
0006552037.tif 000006
【図６】
0006552037.tif 000007
【図７】
0006552037.tif 000008
【図８】
0006552037.tif 000009
【図９】
0006552037.tif 000010
【図１０】
0006552037.tif 000011
【図１１】
0006552037.tif 000012
【図１２】
0006552037.tif 000013
【図１３】
0006552037.tif 000014
【図１４】
0006552037.tif 000015
【図１５】
0006552037.tif 000016
【図１６】
0006552037.tif 000017